(57)【要約】【課題】意図しない機器の操作を行ってしまうことを防止する。【解決手段】通信制御部３１１により、アンテナ３０１を介して接続情報に基づいた接続要求を操作対象となるＭＦＰ１００Ａ又は１００Ｂに送信し、ビーコン判断部３１５により、アンテナ３０１を介して受信したＭＦＰ１００Ａ又は１００Ｂから発信されるビーコン信号の識別情報及び強度を判断し、システム制御部３１７により、ビーコン信号の判断結果と接続情報とを比較し、接続先のＭＦＰ１００Ａ又は１００Ｂの前かどうかを判断する。【選択図】図２
2018033081.tif 000002
【特許請求の範囲】
【請求項１】
パネル部と、
アンテナと、
前記アンテナを介して接続情報に基づいた接続要求を操作対象となる機器に送信する通信制御部と、
前記アンテナを介して受信した前記機器から発信されるビーコン信号の識別情報及び強度を判断するビーコン判断部と、
前記ビーコン信号の判断結果と前記接続情報とに基づいて、接続先の前記機器の前かどうかを判断するシステム制御部とを備える
ことを特徴とする携帯端末。
【請求項２】
前記システム制御部は、前記接続情報と前記識別情報とを比較し、前記ビーコン信号の強度が閾値以上であって、前記接続情報と前記識別情報にそれぞれ含まれる特定の情報が一致した場合、前記機器の前であると判断することを特徴とする請求項１に記載の携帯端末。
【請求項３】
前記システム制御部は、前記接続情報と前記識別情報にそれぞれ含まれる前記特定の情報が一致しない場合、前記パネル部に接続先の前記機器の前ではないことを示す警告を表示させることを特徴とする請求項２に記載の携帯端末。
【請求項４】
前記特定の情報は、ＭＡＣアドレス及び／又はＩＰアドレスであることを特徴とする請求項２又は３に記載の携帯端末。
【請求項５】
通信制御部により、アンテナを介して接続情報に基づいた接続要求を操作対象となる機器に送信する工程と、
ビーコン判断部により、前記アンテナを介して受信した前記機器から発信されるビーコン信号の識別情報及び強度を判断する工程と、
システム制御部により、前記ビーコン信号の判断結果と前記接続情報とに基づいて、接続先の前記機器の前かどうかを判断する工程とを携帯端末を制御するコンピューターに実行させる
ことを特徴とする通信プログラム。
【発明の詳細な説明】
【技術分野】
【０００１】
本発明は、画像形成装置の遠隔操作に適した携帯端末及び通信プログラムに関する。
【背景技術】
【０００２】
たとえば、プリンター、多機能プリンター、複合機などのＭＦＰ（Ｍｕｌｔｉｆｕｎｃｔｉｏｎ  Ｐｅｒｉｐｈｅｒａｌ）である画像形成装置においては、無線ＬＡＮ（Ｌｏｃａｌ  Ａｒｅａ  Ｎｅｔｗｏｒｋ）であるＷｉ−Ｆｉ（登録商標）やＷｉ−Ｆｉ  Ｄｉｒｅｃｔ（登録商標）により、スマートフォンやタブレット端末などの携帯端末との無線通信が可能となっている機種がある。
【０００３】
また、携帯端末においては、パネル部を介しての画像形成装置の遠隔操作が可能な機能が搭載されていることがある。この遠隔操作が可能な機能により、たとえば画像形成装置が複数台設置されていて無線ＬＡＮでの接続が可能な環境では、ＩＰアドレスやデバイス名などから操作したい画像形成装置を選択し、離れた場所から印刷指示などを出すことができる。ところが、画像形成装置が複数台設置されている場合、最も近くにある画像形成装置を瞬時に判断できない場合がある。
【０００４】
このような不具合を解消するものとして、特許文献１では、複数のプリンターから発信されるＢＬＥ（Ｂｌｕｅｔｏｏｔｈ（登録商標）  Ｌｏｗ  Ｅｎｅｒｇｙ）の強度に基づいて、最も距離が短いプリンターを検出する距離検出部と、検出したプリンターに対し、無線ＬＡＮを用いて印刷処理の実行を指示する処理実行制御部とを備え、ある携帯ＰＯＳ端末から特定のプリンターに対して無線ＬＡＮにより印刷データを送信している間も、他の携帯ＰＯＳ端末が特定のプリンターも含めて複数のプリンターの中から最も近くにあるプリンターを検出することができるようにした情報処理装置の制御システムを提案している。
【先行技術文献】
【特許文献】
【０００５】
【特許文献１】特開２０１５−２００９８９号公報
【発明の概要】
【発明が解決しようとする課題】
【０００６】
上述した特許文献１での情報処理装置の制御システムでは、ＢＬＥの強度に基づき、携帯ＰＯＳ端末から最も距離が短いプリンターを検出するので、たとえば店内においてレシートの発行を急ぐことができ、レジ待ちを解消したりできる。
【０００７】
このように、ＢＬＥの強度に基づき、携帯ＰＯＳ端末から最も距離が短いプリンターを検出する方法を用いることで、上述した画像形成装置が複数台設置されている場合であっても、最も近くにある画像形成装置を瞬時に判断できる。
【０００８】
ところが、上述したように、画像形成装置と携帯端末とが無線ＬＡＮで接続可能となっている場合、携帯端末により、たとえば目の前の画像形成装置に接続したつもりが誤って他の画像形成装置に接続してしまうことがある。この場合、意図しない画像形成装置の操作を行ってしまうという問題があった。
【０００９】
本発明は、このような状況に鑑みてなされたものであり、上記問題点を解消することができる携帯端末及び通信プログラムを提供することを目的とする。
【課題を解決するための手段】
【００１０】
本発明の携帯端末は、パネル部と、アンテナと、前記アンテナを介して接続情報に基づいた接続要求を操作対象となる機器に送信する通信制御部と、前記アンテナを介して受信した前記機器から発信されるビーコン信号の識別情報及び強度を判断するビーコン判断部と、前記ビーコン信号の判断結果と前記接続情報とに基づいて、接続先の前記機器の前かどうかを判断するシステム制御部とを備えることを特徴とする。
また、前記システム制御部は、前記接続情報と前記識別情報とを比較し、前記ビーコン信号の強度が閾値以上であって、前記接続情報と前記識別情報にそれぞれ含まれる特定の情報が一致した場合、前記機器の前であると判断することを特徴とする。
また、前記システム制御部は、前記接続情報と前記識別情報にそれぞれ含まれる前記特定の情報が一致しない場合、前記パネル部に接続先の前記機器の前ではないことを示す警告を表示させることを特徴とする。
また、前記特定の情報は、ＭＡＣアドレス及び／又はＩＰアドレスであることを特徴とする。
本発明の通信プログラムは、通信制御部により、アンテナを介して接続情報に基づいた接続要求を操作対象となる機器に送信する工程と、ビーコン判断部により、前記アンテナを介して受信した前記機器から発信されるビーコン信号の識別情報及び強度を判断する工程と、システム制御部により、前記ビーコン信号の判断結果と前記接続情報とに基づいて、接続先の前記機器の前かどうかを判断する工程とを携帯端末を制御するコンピューターに実行させることを特徴とする。
本発明の携帯端末及び通信プログラムでは、通信制御部により、アンテナを介して接続情報に基づいた接続要求を操作対象となる機器に送信し、ビーコン判断部により、アンテナを介して受信した機器から発信されるビーコン信号の識別情報及び強度を判断し、システム制御部により、ビーコン信号の判断結果と接続情報とを比較し、接続先の機器の前かどうかを判断する。
これにより、携帯端末により、たとえば目の前の機器であるたとえば画像形成装置に接続したつもりが誤って他の機器であるたとえば画像形成装置に接続してしまうことがあっても、接続先の機器の前かどうかを確実に判断できる。
【発明の効果】
【００１１】
本発明の携帯端末及び通信プログラムによれば、接続先の機器の前かどうかを確実に判断できるので、意図しない機器であるたとえば画像形成装置の操作を行ってしまうことを防止できる。
【図面の簡単な説明】
【００１２】
【図１】本発明の携帯端末を通信システムに適用した場合の一実施形態を説明するための図である。
【図２】図１のＭＦＰ及び携帯端末の構成の一例について説明するための図である。
【図３】ビーコン信号の強度とＭＦＰからの距離との関係の一例を説明するための図である。
【図４】図１の携帯端末での接続処理の一例を説明するためのフローチャートである。
【発明を実施するための形態】
【００１３】
以下、本発明の携帯端末の一実施形態を、図１〜図４を参照しながら説明する。
【００１４】
まず、図１は、本発明の携帯端末が適用される通信システムの一構成例を示している。図１に示すように、通信システムは、複数のＭＦＰ（Ｍｕｌｔｉｆｕｎｃｔｉｏｎ  Ｐｅｒｉｐｈｅｒａｌ）１００Ａ、１００Ｂと、無線通信機２００と、携帯端末３００とを備えている。ＭＦＰ１００Ａ、１００Ｂ、無線通信機２００、携帯端末３００は、ＬＡＮ（Ｌｏｃａｌ  Ａｒｅａ  Ｎｅｔｗｏｒｋ）などのネットワーク４００を介して接続されている。なお、ＭＦＰ１００Ａ、１００Ｂについては、図示のように２台に限らず、３台以上であってもよい。また、それぞれのＭＦＰ１００Ａ、１００Ｂは、近接配置されていてもよいし、特定の距離だけ離して配置されてもよい。
【００１５】
ＭＦＰ１００Ａ、１００Ｂは、たとえば印刷機能、コピー機能、ＦＡＸ機能、ネットワーク４００経由でのデータ送受信機能などを搭載した複合的な画像形成装置である。また、ＭＦＰ１００Ａ、１００Ｂは、Ｗｉ−Ｆｉ（登録商標）、Ｗｉ−Ｆｉ  Ｄｉｒｅｃｔ（登録商標）、Ｂｌｕｅｔｏｏｔｈ（登録商標）などの複数の無線通信Ｉ／Ｆ（インターフェース：以下、通信方式という）を有している。なお、Ｗｉ−Ｆｉ（登録商標）、Ｗｉ−Ｆｉ  Ｄｉｒｅｃｔ（登録商標）は、無線ＬＡＮの規格に基づいた通信方式である。Ｂｌｕｅｔｏｏｔｈ（登録商標）は、近距離通信の規格に基づいた通信方式である。また、ＭＦＰ１００Ａ、１００Ｂは、ビーコン発信器１０４を有し、ＢＬＥ（Ｂｌｕｅｔｏｏｔｈ  （登録商標）  Ｌｏｗ  Ｅｎｅｒｇｙ：以下、ビーコン信号という）を発信する。なお、ビーコン信号には、それぞれのＭＦＰ１００Ａ、１００Ｂの識別情報（たとえば、ＭＡＣアドレス、ＩＰアドレス）が含まれている。
【００１６】
無線通信機（たとえば無線ＬＡＮのアクセスポイント）２００は、通信方式が、たとえば無線ＬＡＮの規格に基づいたＷｉ−Ｆｉ（登録商標）となっている。携帯端末３００は、スマートフォン、タブレット端末、ノートパソコンなどである。携帯端末３００は、通信回線の電波、又は無線通信機２００を介してネットワーク４００に接続できる。また、携帯端末３００は、無線通信機２００を介してＭＦＰ１００に接続できる。また、携帯端末３００は、Ｗｉ−Ｆｉ  Ｄｉｒｅｃｔ（登録商標）又はＢｌｕｅｔｏｏｔｈ（登録商標）により、ＭＦＰ１００に接続できる。また、携帯端末３００は、たとえばＭＦＰ１００Ａ、１００Ｂに対する無線ＬＡＮでの接続情報を有している。接続情報には、ＭＦＰ１００Ａ、１００Ｂの識別情報と同じＭＡＣアドレス、ＩＰアドレスが含まれている。
【００１７】
次に、図２を参照し、ＭＦＰ１００Ａ、１００Ｂ及び携帯端末３００の構成の一例について説明する。まず、ＭＦＰ１００は、プリンター部１０１、Ｉ／Ｆ（インターフェース）１０２、送受信部１０３、ビーコン発信器１０４、パネル部１０５、ＨＤＤ１０６を制御する制御部１１０を備えている。なお、ＭＦＰ１００Ａ、１００Ｂは、スキャナー部、ＦＡＸ部などを備えていてもよい。
【００１８】
プリンター部１０１は、制御部１１０から出力される印刷データに基づき、図示しない用紙上に画像を印刷するデバイスである。Ｉ／Ｆ１０２は、無線通信機２００を介し携帯端末３００との通信を受け持つ。また、Ｉ／Ｆ１０２は、ネットワーク４００を介し、携帯端末３００との通信を受け持つ。なお、Ｉ／Ｆ１０２は、図示しないコンテンツサーバーやウェブサーバーなどとの通信を受け持ってもよい。
【００１９】
送受信部１０３は、無線ＬＡＮのＷｉ−Ｆｉ（登録商標）、Ｗｉ−Ｆｉ  Ｄｉｒｅｃｔ（登録商標）、近距離通信のＢｌｕｅｔｏｏｔｈ（登録商標）などのそれぞれの通信方式による電波などを受信したり送信したりする。ビーコン発信器１０４は、ＭＦＰ１００Ａ又は１００Ｂの位置を知らせるビーコン信号を発信する。なお、ビーコン信号には、たとえばＭＡＣアドレス、ＩＰアドレスを含む識別情報が含まれている。パネル部１０５は、ＭＦＰ１００Ａ、１００Ｂの印刷機能、コピー機能、ＦＡＸ機能、ネットワーク経由でのデータ送受信機能や、各種設定のための表示を行うタッチパネルなどのデバイスである。
【００２０】
ＨＤＤ１０６は、ＭＦＰ１００Ａ、１００Ｂの種々の機能を提供するためのアプリケーションプログラムなどを記憶している記憶デバイスである。また、ＨＤＤ１０６は、たとえば携帯端末３００や図示しないユーザー端末から登録された印刷ジョブを記憶するユーザーボックスを有している。
【００２１】
制御部１１０は、画像形成プログラムや制御プログラムなどを実行してＭＦＰ１００全体の動作を制御するプロセッサーである。制御部１１０は、プリンター制御部１１１、通信制御部１１２、ビーコン制御部１１３、ＲＡＭ１１４、ＲＯＭ１１５、画像処理部１１６、パネル操作制御部１１７、ＨＤＤ制御部１１８、システム制御部１１９を備えている。また、これらは、データバス１２０に接続されている。プリンター制御部１１１は、プリンター部１０１の印刷動作を制御する。通信制御部１１２は、Ｉ／Ｆ１０２を介し、ネットワーク４００を介しての通信と、送受信部１０３を介しての通信とを制御する。なお、通信制御部１１２は、ネットワーク４００を介して通信を担うものと、送受信部１０３を介して通信を担うものとを別々に設ける必要があるが、説明の都合上、１個として示している。
【００２２】
ビーコン制御部１１３は、ビーコン発信器１０４の動作を制御する。ＲＡＭ１１４は、プログラムを実行するためのワークメモリーである。ＲＯＭ１１５には、各部の動作チェックなどを行う制御プログラムが記憶されている。画像処理部１１６は、たとえばＨＤＤ１０６のユーザーボックスに登録された印刷ジョブに対する画像処理（ラスタライズ）を行う。なお、システム制御部１１９は、画像処理部１１６が画像処理した印刷データを、一旦、ＲＡＭ１１４に記憶させる。
【００２３】
パネル操作制御部１１７は、パネル部１０５の表示動作を制御する。また、パネル操作制御部１１７は、パネル部１０５を介し、印刷、コピー、ＦＡＸ、ネットワーク経由でのデータ送受信などの開始の設定などを受け付ける。ＨＤＤ制御部１１８は、ＨＤＤ１０６に対するデータの読み込み及び書き込みなどを制御する。
【００２４】
システム制御部１１９は、各部の連携動作を制御する。また、システム制御部１１９は、携帯端末３００からのたとえば印刷指示を受け付けると、画像処理部１１６に対する画像処理の指示、プリンター制御部１１１に対するプリンター部１０１による印刷の指示などを行う。
【００２５】
一方、携帯端末３００は、アンテナ３０１、パネル部３０２を制御する制御部３１０を備えている。アンテナ３０１は、通信方式がＷｉ−Ｆｉ（登録商標）の場合、無線通信機２００との間で電波を送受信する。また、アンテナ３０１は、通信方式がＰ２Ｐ（Ｐｅｅｒ  ｔｏ  Ｐｅｅｒ）（例えば、Ｗｉ−Ｆｉ  Ｄｉｒｅｃｔ（登録商標）、Ｂｌｕｅｔｏｏｔｈ（登録商標））、無線のネットワーク（例えば、無線ＬＡＮ（Ｌｏｃａｌ  Ａｒｅａ  Ｎｅｔｗｏｒｋ））の場合、ＭＦＰ１００Ａ又は１００Ｂの送受信部１０３との間で電波を送受信する。また、アンテナ３０１は、ＭＦＰ１００Ａ又は１００Ｂのビーコン発信器１０４からのビーコン信号を受信する。
【００２６】
制御部３１０は、制御プログラムなどを実行して携帯端末３００全体の動作を制御するプロセッサーである。制御部３１０は、通信制御部３１１、ＲＡＭ３１２、ＲＯＭ３１３、接続情報管理部３１４、ビーコン判断部３１５、パネル操作制御部３１６、システム制御部３１７を備えている。また、これらは、データバス３１８に接続されている。
【００２７】
通信制御部３１１は、アンテナ３０１を介し、たとえばＭＦＰ１００Ａ又は１００Ｂとのデータなどの送受信の制御を行う。また、通信制御部３１１は、アンテナ３０１を介し、ＭＦＰ１００Ａ又は１００Ｂのビーコン発信器１０４からのビーコン信号の受信の制御を行う。ＲＡＭ３１２は、プログラムを実行するためのワークメモリーである。ＲＯＭ３１３には、各部の動作チェックなどを行う制御プログラムが記憶されている。
接続情報管理部３１４は、たとえばＭＦＰ１００Ａ、１００ＢのＭＡＣアドレス、ＩＰアドレスを含む接続情報を管理する。接続情報管理部３１４は、管理する接続情報を、パネル部３０２を介して取得することができる。取得された接続情報は、不揮発性記憶装置に記憶され、接続情報をパネル部３０２に表示する際に使用される。
【００２８】
ビーコン判断部３１５は、ＭＦＰ１００Ａ、１００Ｂのビーコン発信器１０４からのビーコン信号に含まれている識別情報（たとえば、ＭＡＣアドレス、ＩＰアドレス）を判断する。また、ビーコン判断部３１５は、ビーコン信号の強度を判断する。パネル操作制御部３１６は、パネル部３０２の表示動作を制御する。
【００２９】
システム制御部３１７は、各部の連携動作を制御する。また、システム制御部３１７は、パネル部３０２を介してＭＦＰ１００Ａ、１００Ｂの接続情報の表示要求があると、パネル操作制御部３１６を介し、パネル部３０２に接続情報管理部３１４が管理しているＭＦＰ１００Ａ、１００Ｂの接続情報を表示させる。また、システム制御部３１７は、パネル部３０２に表示させたＭＦＰ１００Ａ又は１００Ｂの接続情報が選択されると、通信制御部３１１に対し、接続要求を発信させる。また、システム制御部３１７は、ビーコン判断部３１５が判断したビーコン信号の強度を基に、ＭＦＰ１００Ａ又は１００Ｂの前であるかどうか、すなわち、携帯端末３００とＭＦＰ１００Ａ又は１００Ｂとの距離が特定範囲内であるかどうかを判断する。また、システム制御部３１７は、ＭＦＰ１００Ａ又は１００Ｂの前であると判断すると、続いて、パネル部３０２を介して選択された接続情報と、ＭＦＰ１００Ａ又は１００Ｂのビーコン発信器１０４からのビーコン信号に含まれている識別情報とを比較する。そして、システム制御部３１７は、接続情報と識別情報にそれぞれ含まれる特定の情報、例えば、接続情報に含まれるＭＡＣアドレス及びＩＰアドレスと識別情報に含まれるＭＡＣアドレス及びＩＰアドレスが一致している場合、近接しているＭＦＰ１００Ａ又は１００Ｂが接続先であると判断する。なお、システム制御部３１７は、接続情報と識別情報にそれぞれ含まれる特定の情報特定の情報をＭＡＣアドレス又はＩＰアドレスとして、接続情報と識別情報にそれぞれ含まれるＭＡＣアドレス又はＩＰアドレスのみを比較し、ＭＡＣアドレス又はＩＰアドレスが一致している場合、近接しているＭＦＰ１００Ａ又は１００Ｂが接続先であると判断してもよい。
【００３０】
次に、図３を参照し、ビーコン信号の強度とＭＦＰ１００Ａ又は１００Ｂからの距離との関係の一例について説明する。まず、図３は、横軸にＭＦＰ１００Ａ又は１００Ｂからの距離（ｍ）を示し、縦軸にビーコン信号の強度（ｄＢｍ）を示している。
【００３１】
すなわち、ＭＦＰ１００Ａ又は１００Ｂのビーコン発信器１０４からのビーコン信号の強度は、距離の２乗に反比例して減衰する。ここで、ビーコン判断部３１５がビーコン信号の強度をたとえば−６０ｄＢｍ（０．０００００１ｍＷ）と判断した場合、携帯端末３００とＭＦＰ１００Ａ又は１００Ｂとの距離がたとえば４ｍとなる。また、ビーコン判断部３１５がビーコン信号の強度をたとえば−３０ｄＢｍ（０．００１ｍＷ）と判断した場合、携帯端末３００とＭＦＰ１００Ａ又は１００Ｂとの距離がたとえば０．３ｍとなる。
【００３２】
システム制御部３１７は、ビーコン判断部３１５が判断したビーコン信号の強度がたとえば−３０ｄＢｍ（０．００１ｍＷ）である場合、すなわち、携帯端末３００とＭＦＰ１００Ａ又は１００Ｂとの距離が０．３ｍである場合、ＭＦＰ１００Ａ又は１００Ｂの前であることを判断できる。よって、本実施形態では、たとえばビーコン信号の強度であるたとえば−３０ｄＢｍ（０．００１ｍＷ）を閾値とし、ビーコン判断部３１５が判断したビーコン信号の強度が閾値以上であれば、システム制御部３１７がＭＦＰ１００Ａ又は１００Ｂの前であると判断するものとする。
【００３３】
次に、図４を参照し、携帯端末３００側の接続処理について説明する。なお、以下においては、携帯端末３００の接続先がたとえばＭＦＰ１００Ｂである場合として説明する。また、携帯端末３００のシステム制御部３１７による、ＭＦＰ１００Ａ又は１００Ｂの前かどうかを判断するための閾値を、上述したように、たとえば−３０ｄＢｍ（０．００１ｍＷ）とする。また、携帯端末３００からＭＦＰ１００Ｂに対しての操作指示として、たとえば印刷指示である場合とする。
【００３４】
（ステップＳ１０１）
システム制御部１１９は、接続情報の要求があるかどうかを判断する。
この場合、システム制御部３１７は、パネル操作制御部３１６からのパネル部３０２でのＭＦＰ１００Ａ、１００Ｂの接続情報の表示要求と、パネル部３０２に表示された接続情報の選択とが有ったことを示す通知が無ければ接続情報の要求が無いと判断する（ステップＳ１０１：Ｎｏ）。
これに対し、システム制御部３１７は、パネル操作制御部３１６からのパネル部３０２でのＭＦＰ１００Ａ、１００Ｂの接続情報の表示要求と、パネル部３０２に表示された接続情報の選択とが有ったことを示す通知が有れば接続情報の要求が有ると判断し（ステップＳ１０１：Ｙｅｓ）、ステップＳ１０２に移行する。
【００３５】
（ステップＳ１０２）
システム制御部３１７は、接続を開始させる。
この場合、システム制御部３１７は、たとえばＭＦＰ１００Ｂの接続情報が選択されると、通信制御部３１１に対し、ＭＦＰ１００Ｂの接続情報に含まれるＩＰアドレスを基に、接続要求を発信させる。
【００３６】
（ステップＳ１０３）
システム制御部３１７は、接続が確立したかどうかを判断する。
この場合、システム制御部３１７は、ＭＦＰ１００Ｂからの応答が無ければ接続が確立していないと判断する（ステップＳ１０３：Ｎｏ）。
これに対し、システム制御部３１７は、ＭＦＰ１００Ｂからの応答が有れば接続が確立したと判断し（ステップＳ１０３：Ｙｅｓ）、ステップＳ１０４に移行する。
【００３７】
（ステップＳ１０４）
システム制御部３１７は、ビーコン信号を受信したかどうかを判断する。
この場合、システム制御部３１７は、ビーコン判断部３１５がビーコン信号の強度を判断していなければビーコン信号を受信していないと判断する（ステップＳ１０４：Ｎｏ）。
これに対し、システム制御部３１７は、ビーコン判断部３１５がビーコン信号の強度を判断していればビーコン信号を受信したと判断し（ステップＳ１０４：Ｙｅｓ）、ステップＳ１０５に移行する。
【００３８】
（ステップＳ１０５）
システム制御部３１７は、ＭＦＰ１００Ａ又は１００Ｂの前かどうかを判断する。
この場合、システム制御部３１７は、ビーコン判断部３１５が判断したビーコン信号の強度が閾値（たとえば−３０ｄＢｍ）未満であれば、ＭＦＰ１００Ａ又は１００Ｂの前でないと判断する（ステップＳ１０５：Ｎｏ）。
これに対し、システム制御部３１７は、ビーコン判断部３１５が判断したビーコン信号の強度が閾値（たとえば−３０ｄＢｍ）以上であれば、ＭＦＰ１００Ａ又は１００Ｂの前であると判断し（ステップＳ１０５：Ｙｅｓ）、ステップＳ１０６に移行する。
【００３９】
（ステップＳ１０６）
システム制御部３１７は、接続先がどうかを判断する。
この場合、システム制御部３１７は、パネル部３０２を介して選択された接続情報（たとえば、ＭＡＣアドレス、ＩＰアドレス）と、ビーコン判断部３１５が判断したビーコン信号に含まれている識別情報（たとえば、ＭＡＣアドレス、ＩＰアドレス）とを比較し、ＭＡＣアドレス及びＩＰアドレスが一致していない場合、接続先でないと判断し（ステップＳ１０６：Ｎｏ）、ステップＳ１０９に移行する。
ここで、システム制御部３１７は、ＭＡＣアドレス又はＩＰアドレスのみを比較し、ＭＡＣアドレス又はＩＰアドレスが一致している場合、近接しているＭＦＰ１００Ａ又は１００Ｂが接続先であると判断してもよい。
なお、近接しているＭＦＰ１００Ａ又は１００Ｂが接続先でない場合として、たとえばユーザーがＭＦＰ１００Ｂの前に位置しているに関わらず、誤ってＭＦＰ１００Ａに接続したことが想定される。また、ユーザーがＭＦＰ１００Ｂに接続したにも関わらず、誤ってＭＦＰ１００Ａの前に居ることが想定される。また、ユーザーがＭＦＰ１００Ｂの前に移動する過程で、ビーコン判断部３１５がＭＦＰ１００Ａのビーコン発信器１０４からのビーコン信号の強度が閾値（たとえば−３０ｄＢｍ）以上であると判断した場合も想定される。
これに対し、システム制御部３１７は、パネル部３０２を介して選択された接続情報（たとえば、ＭＡＣアドレス、ＩＰアドレス）と、ビーコン判断部３１５が判断したビーコン信号に含まれている識別情報（たとえば、ＭＡＣアドレス、ＩＰアドレス）とを比較し、ＭＡＣアドレス及びＩＰアドレスが一致している場合、接続先であると判断し（ステップＳ１０６：Ｙｅｓ）、ステップＳ１０７に移行する。
【００４０】
（ステップＳ１０７）
システム制御部３１７は、操作指示があるかどうかを判断する。
この場合、システム制御部３１７は、パネル操作制御部３１６からのパネル部３０２を介してたとえば印刷指示が有ったことを示す通知が無ければ操作指示が無いと判断する（ステップＳ１０７：Ｎｏ）。
これに対し、システム制御部３１７は、パネル操作制御部３１６からのパネル部３０２を介してたとえば印刷指示が有ったことを示す通知が有れば操作指示が有ると判断し（ステップＳ１０７：Ｙｅｓ）、ステップＳ１０８に移行する。
【００４１】
（ステップＳ１０８）
システム制御部３１７は、操作指示に応じた要求を送信させる。
この場合、システム制御部３１７は、通信制御部３１１に対し、操作指示に応じたたとえば印刷指示の要求を送信させる。
【００４２】
（ステップＳ１０９）
システム制御部３１７は、警告を表示させる。
この場合、システム制御部３１７は、パネル操作制御部３１６を介し、パネル部３０２に対して接続先のＭＦＰ１００Ｂの前ではないことを知らせる警告を表示させる。
これにより、ユーザーは、接続先のＭＦＰ１００Ｂの前ではないことを知ることができる。
【００４３】
このように、本実施形態では、通信制御部３１１により、アンテナ３０１を介して接続情報に基づいた接続要求を操作対象となるＭＦＰ１００Ａ又は１００Ｂ（機器）に送信し、ビーコン判断部３１５により、アンテナ３０１を介して受信したＭＦＰ１００Ａ又は１００Ｂ（機器）から発信されるビーコン信号の識別情報及び強度を判断し、システム制御部３１７により、ビーコン信号の判断結果と接続情報とを比較し、接続先のＭＦＰ１００Ａ又は１００Ｂ（機器）の前かどうかを判断する。
【００４４】
これにより、携帯端末３００により、たとえば目の前のＭＦＰ１００Ａ又は１００Ｂ（機器）に接続したつもりが誤って他のＭＦＰ１００Ａ又は１００Ｂ（機器）に接続してしまうことがあっても、接続先のＭＦＰ１００Ａ又は１００Ｂ（機器）の前かどうかを確実に判断できるので、意図しないＭＦＰ１００Ａ又は１００Ｂ（機器）の操作を行ってしまうことを防止できる。
【００４５】
なお、本実施形態では、接続先のＭＦＰ１００Ａ又は１００Ｂの前かどうかを判断するために、ビーコン信号を用いたが、これに限らず、距離に応じて強度が変化する信号であればよく、たとえば音波信号や赤外線などの信号を用いてもよい。
【００４６】
また、本実施形態では、システム制御部３１７は、図４に示すステップＳ１０９の後、処理をステップＳ１０５に移行させてもよい。この場合、ステップＳ１０６の判断がＹｅｓになるまで、警告の表示を継続してもよい。
【００４７】
また、本実施形態では、携帯端末３００の操作対象となる機器としてＭＦＰ１００Ａ、１００Ｂを適用したが、これに限らず、プリンターや多機能プリンターは勿論のこと、テレビジョン（Ｔｅｌｅｖｉｓｉｏｎ）、録画機、ホーム家電などの他の機器を適用してもよい。
【符号の説明】
【００４８】
１００Ａ、１００Ｂ  ＭＦＰ
１０１  プリンター部
１０２  Ｉ／Ｆ
１０３  送受信部
１０４  ビーコン発信器
１０５、３０２  パネル部
１０６  ＨＤＤ
１１０  制御部
１１１  プリンター制御部
１１２、３１１  通信制御部
１１３  ビーコン制御部
１１４、３１２  ＲＡＭ
１１５、３１３  ＲＯＭ
１１６  画像処理部
１１７  パネル操作制御部
１１８  ＨＤＤ制御部
１１９、３１７  システム制御部
１２０、３１８  データバス
２００  無線通信機
３００  携帯端末
３０１  アンテナ
３１０  制御部
３１４  接続情報管理部
３１５  ビーコン判断部
３１６  パネル操作制御部
４００  ネットワーク
【図１】
2018033081.tif 000003
【図２】
2018033081.tif 000004
【図３】
2018033081.tif 000005
【図４】
2018033081.tif 000006